(57)【要約】【課題】適温状態を長時間維持できる容器を提供する。【解決手段】液状の内容物を収納保持する容器において、前記容器の胴部及び底部の少なくとも一方に保温剤若しくは保冷剤、または保温・保冷効果を有する部材（３）を配置する。【選択図】        図１
2005041493.tif 000002
【特許請求の範囲】
【請求項１】
液状の内容物を充填保持する容器であって、
前記容器はその胴部及び底部の少なくとも一方に保温剤若しくは保冷剤、または保温・保冷効果を有する部材を備えることを特徴とする保温・保冷容器。
【請求項２】
保温剤若しくは保冷剤、または保温・保冷効果を有する部材を、容器の胴部に形成された減圧吸収パネルに沿わせて配置し、その周りにシュリンクラベル設置して保温剤若しくは保冷剤、または保温・保冷効果を有する部材を保持してなる請求項１記載の保温・保冷容器。
【請求項３】
保温剤若しくは保冷剤、または保温・保冷効果を有する部材を、容器の底部に設けられた底上げ凹部に入れ込み、該底部にシール部材を設置して該凹部を密閉するとともに保温剤若しくは保冷剤、または保温・保冷効果を有する部材を保持してなる請求項１記載の保温・保冷容器。
【請求項４】
前記シュリンクラベル、シール部材に代えてその着脱を可能とする蓋体を設けた請求項２又は３に記載の保温・保冷容器。
【請求項５】
液状の内容物を充填保持する容器であって、
前記容器の胴部に容器の内側へ向かって凹となる少なくとも１つの区画凹所を設け、この区画凹所に保温剤若しくは保冷剤、または保温・保冷効果を有する部材を配置したことを特徴とする保温・保冷容器。
【請求項６】
前記区画凹所はその入側開口に着脱自在に取り付けられ該区画凹所を密閉空間とする蓋体を有する請求項５記載の保温・保冷容器。
【請求項７】
保温剤若しくは保冷剤、または保温・保冷効果を有する部材はその外表面に断熱材を備える請求項１〜６の何れかに記載の保温・保冷容器。
【請求項８】
容器の胴部及び底部の少なくとも一方に保温剤若しくは保冷剤、または保温・保冷効果を有する部材を備えた容器を製造するに当たり、
押し出し成形または射出成形により側壁部分に一端を開放した環状空間を備えたプリフォームを形成し、この環状空間に保温剤若しくは保冷剤、または保温・保冷効果を有する部材をインサートしたのちブロー成形することを特徴とする保温・保冷容器の製造方法。
【発明の詳細な説明】
【０００１】
【発明の属する技術分野】
本発明は、ペットボトルのような合成樹脂製の容器を対象としたものであり、該容器に充填保持される液状の内容物を常に適温に維持しようとするものである。
【０００２】
【従来の技術】
ペットボトルに代表されるような合成樹脂製の容器は、軽量で取り扱いが容易で、透明性を確保できることからガラス製の容器に比較して遜色のない外観を呈する利点があること、しかもコスト的にも安価であることから近年、食品や飲料を充填する容器として多用されている。
【０００３】
とくに、飲料を充填する容器については、適温状態にある内容物を飲むことができるように店頭において冷却あるいは加温して販売されるケースが普通であり、購入当初の温度をより長く維持できるように断熱効果の改善を図った容器の開発も行われている（例えば特許文献１、特許文献２参照）。
【０００４】
【特許文献１】
特開２００３−１７０９７３号公報
【０００５】
【特許文献２】
特開２００３−４０３５７号公報
【０００６】
ところで、断熱効果を高めた従来の容器は、ある程度の効果は期待できるものの、時間の経過とともに外気温に近づいていくのが避けられず、常時適温を維持するためには購買者が別途用意したクーラーやウオーマー等の容器に入れて保管しておく必要があり、未だ改善の余地が残されていた。
【０００７】
【発明が解決しようとする課題】
本発明の課題は、適温状態を長時間にわたって維持できる新規な保温・保冷容器を提案するところにある。
【０００８】
【課題を解決するための手段】
本発明は、液状の内容物を充填保持する容器であって、前記容器はその胴部及び底部の少なくとも一方に保温剤若しくは保冷剤、または保温・保冷効果を有する部材を備えることを特徴とする保温・保冷容器である。
【０００９】
保温剤若しくは保冷剤、または保温・保冷効果を有する部材は、容器の胴部に形成された減圧吸収パネルに沿わせて配置し、その周りにシュリンクラベル設置して該保温剤若しくは保冷剤、または保温・保冷効果を有する部材を保持するか、あるいは容器の底部に設けられた底上げ凹部に入れ込み、該底部にシール部材を設置して該凹部を密閉するとともに保温剤若しくは保冷剤、または保温・保冷効果を有する部材を保持するのが好ましい。
【００１０】
上記の構成になる容器において、前記シュリンクラベル、シール部材に代えてその着脱を可能とする蓋体を設けることができる。
【００１１】
また、本発明は、液状の内容物を充填保持する容器であって、前記容器の胴部に容器の内側へ向かって凹となる少なくとも１つの区画凹所を設け、この区画凹所に保温剤若しくは保冷剤、または保温・保冷効果を有する部材を配置したことを特徴とする保温・保冷容器であり、前記区画凹所にはその入側開口に着脱自在に取り付けられ該区画凹所を密閉空間とする蓋体を配置することができる。
【００１２】
保温剤若しくは保冷剤、または保温・保冷効果を有する部材はその外表面に断熱材を配置することができ、これによって適温状態をより長く維持できる。
【００１３】
容器の胴部及び底部の少なくとも一方に保温剤若しくは保冷剤、または保温・保冷効果を有する部材を備えた容器を製造するに当っては、押し出し成形または射出成形により側壁部分に一端を開放した環状空間を備えたプリフォームを形成し、この環状空間に保温剤若しくは保冷剤、または保温・保冷効果を有する部材をインサートしたのちブロー成形する。
【００１４】
【発明の実施の形態】
以下、図面を用いて本発明をより具体的に説明する。
【００１５】
図１（ａ）（ｂ）は本発明に従う保温・保冷容器の実施の形態を２軸延伸ブロー成形によって製造したペットボトルを例として示した図である。
【００１６】
図１において１は容器の胴部に設けられた減圧吸収パネル、２は減圧吸収パネル１を覆い隠すように配置されたシュリンクラベル、３は減圧吸収パネル１に沿わせて配置されシュリンクラベル２によって保持される例で示した保温剤若しくは保冷剤、または保温・保冷効果を有する部材（ここで保温・保冷効果を有する部材については、保温剤若しくは保冷剤に含むものとして以下単に保温剤若しくは保冷剤ということとする）である。
【００１７】
保温剤若しくは保冷剤３を容器の胴部に設けられた減圧吸収パネル１に配置することで容器内の内容物は長時間にわたって適温状態に保持され、保温剤、保冷剤３の外表面に例えば発泡シートやエアークッション等からなるシート状の断熱材を配置することによりその効果はより一層延長される。なお、保温剤若しくは保冷剤３は図１（ａ）に示すように各減圧吸収パネル１毎にそれぞれ配置した分割型とすることができるが、各保温剤若しくは保冷剤３を連結部３ａ、３ｂにてつないだ図２（ａ）（ｂ）に示すように連結構造のものを採用することもできる。
【００１８】
図３（ａ）〜（ｃ）は本発明に従う保温・保冷容器の他の実施の形態を示した図である。図において４は容器の底部に設けられた底上げ凹部、５は凹部４を密閉するとともに保温剤若しくは保冷剤３を保持するシート状のシール部材、そして６は保温剤、保冷剤３とシール部材５との相互間に配置されたシート状の断熱材である。
【００１９】
底上げ凹部４に保温剤若しくは保冷剤３を配置することにより図１に示した構造のものと同様、容器内の内容物は長時間にわたって適温状態に維持される。
【００２０】
上掲図１、図３に示した容器は、図示はしないがシュリンクラベル２やシール部材５を設置する代わりにアンダーカット嵌合や螺合等による着脱自在な蓋体を設けることもでき、保温剤若しくは保冷剤３を適宜に入れ換えて適温状態を維持することもできる。
【００２１】
図４（ａ）（ｂ）は容器の胴部にその内側へ向かって凹となる区画凹所７を設けてこの区画凹所７に保温剤若しくは保冷剤３を配置して適温状態を維持するようにした本発明の実施の形態を示したものであり、このような構造を採用することによっても容器内の内容物を常時適温状態に維持することができ、区画凹所７の入側開口７ａにシール部材あるいは着脱自在な蓋体を設けることにより密閉空間を形成して保温剤若しくは保冷剤３の脱落を防止する。
【００２２】
本発明では容器の胴部を２重にしてその中に保温剤若しくは保冷剤３を埋設する図５に示すような構造を採用することもでき、このような容器を製造するには、まず、押し出し成形または射出成形によって側壁部分に一端を開放した図６に示す如き環状空間８を有するプリフォームを形成し、ついで図７に示すように該環状空間８に保温剤若しくは保冷剤３をインサートしたのちブロー成形を行う。
【００２３】
上記の製造法は容器の胴部及び底部の少なくとも一方に保温剤若しくは保冷剤３を備えた合成樹脂製の容器を効率的に製造する場合に好適な製造例を示すものであって、本発明に従う容器はこの製造法によってのみ得られた容器に限定されるわけではない。
【００２４】
保温剤、保冷剤としては具体的に発泡スチロール等に代表される発泡材や、吸水性ポリマー等のポリマーをゲル化した機能性高分子ゲルを中身とする密封シートやその他公知のものを用いることができる。さらに、本発明に使用される保温剤、保冷剤は容器の形状に合わせた特別なものに限られるわけではなく、市販の使い捨てカイロやアイシング用の使い捨て冷却剤等に代表される保温剤や保冷剤を代用することも可能である。
【００２５】
【発明の効果】
本発明によれば、容器内の内容物を長時間にわたって適温状態に維持することが可能であり、容器の持ち運びに際して別途クーラーやウオーマー等を用意する必要がない。
【図面の簡単な説明】
【図１】本発明の実施の形態を示した図であり、（ａ）は側面を示した図、（ｂ）はＡ−Ａ断面図である。
【図２】連結構造になる保温剤、保冷剤を示したものであり、（ａ）はその外観斜視図、（ｂ）は平面を要部について示した図である。
【図３】本発明の他の実施の形態を示した図であり、（ａ）は側面を示した図、（ｂ）はＢ−Ｂ断面を示した図、そして（ｃ）は要部の拡大断面図である。
【図４】本発明の他の実施の形態を示した図であり、（ａ）は側面を示した図、（ｂ）はＣ−Ｃ断面を示した図である。
【図５】本発明の他の実施の形態を示した図である。
【図６】図４に示した容器の製造要領の説明図である。
【図７】図４に示した容器の製造要領の説明図である。
【符号の説明】
１  減圧吸収パネル
２  シュリンクラベル
３  保温剤若しくは保冷剤
３ａ  連結部
３ｂ  連結部
４  底上げ凹部
５  シール部材
６  断熱材
７  区画凹所
７ａ  入側開口
８  環状空間
【図１】
2005041493.tif 000003
【図２】
2005041493.tif 000004
【図３】
2005041493.tif 000005
【図４】
2005041493.tif 000006
【図５】
2005041493.tif 000007
【図６】
2005041493.tif 000008
【図７】
2005041493.tif 000009